(57)【要約】【課題】  撃球時の響きを発生すると共に、振動を吸収することができる防振構造を有するゴルフクラブヘッドを提供する。【解決手段】  中空状のクラブヘッドの一部に収容部が形成されると共に、該収容部にカバーが溶接され、クラブヘッドに該収容部と連通する充填孔を有する突出部が設けられ、緩衝材が収容部に充填された後、封止部材を充填孔に接着することによって充填孔を封止すると共に、余計な突出部を削除させることを特徴とする防振構造を有する。【選択図】        図１
2005118363.tif 000002
【特許請求の範囲】
【請求項１】
中空状のクラブヘッドの一部に収容部が形成されると共に、該収容部にカバーが溶接され、クラブヘッドに該収容部と連通する充填孔を有する突出部が設けられ、緩衝材が収容部に充填された後、封止部材を充填孔に接着することによって充填孔を封止すると共に、余計な突出部を削除させることを特徴とする防振構造を有するゴルフクラブヘッド。
【請求項２】
前記収容部はクラブヘッドの下部から後側まで設けられると共に、その上に通気孔が形成され、前記封止部材に通気孔が形成されることを特徴とする請求項１に記載の防振構造を有するゴルフクラブヘッド。
【請求項３】
前記収容部はクラブヘッドの後側に設けられると共に、その上に通気孔が形成され、前記封止部材に通気孔が形成されることを特徴とする請求項１に記載の防振構造を有するゴルフクラブヘッド。
【発明の詳細な説明】
【技術分野】
【０００１】
本発明は、特に撃球時の響きを発生すると共に、振動を吸収することができる防振構造を有するゴルフクラブヘッドに関するものである。
【背景技術】
【０００２】
従来のゴルフクラブヘッドは、例えば台湾実用新案公告第５１７５９２号「ゴルフクラブヘッドの改良」に記載され、撃球時の響きを発生するために、殆ど中空状であるが、この中空状構造により、撃球の振動も発生し、該振動をシャフトに沿って使用者の手に伝わるので、使用者に不快感を与えてしまう。
【０００３】
前記問題を解決するために、クラブヘッドの内部に振動緩衝材を充填することにより、撃球の振動を緩衝させるゴルフクラブヘッドが提案されていた。
【特許文献１】台湾実用新案公告第５１７５９２号
【発明の開示】
【発明が解決しようとする課題】
【０００４】
しかしながら、前記内部に振動緩衝材を有する従来のゴルフクラブヘッドは振動緩衝材を充填するため、製造工程が複雑になると共に、コストが高くなってしまう。又、クラブヘッドの内部に振動緩衝材を充填すると、撃球の素晴らしい響きがなくなってしまう。
【０００５】
そこで、案出されたのが本発明であって、撃球時の響きを発生すると共に、振動を吸収することができる防振構造を有するゴルフクラブヘッドを提供することを目的としている。
【課題を解決するための手段】
【０００６】
本願の請求項１の発明は、中空状のクラブヘッドの一部に収容部が形成されると共に、該収容部にカバーが溶接され、クラブヘッドに該収容部と連通する充填孔を有する突出部が設けられ、緩衝材が収容部に充填された後、封止部材を充填孔に接着することによって充填孔を封止すると共に、余計な突出部を削除させることを特徴とする防振構造を有するゴルフクラブヘッド及び、
本願の請求項２の発明は、前記収容部はクラブヘッドの下部から後側まで設けられると共に、その上に通気孔が形成され、前記封止部材に通気孔が形成されることを特徴とする請求項１に記載の防振構造を有するゴルフクラブヘッド及び、
本願の請求項３の発明は、前記収容部はクラブヘッドの後側に設けられると共に、その上に通気孔が形成され、前記封止部材に通気孔が形成されることを特徴とする請求項１に記載の防振構造を有するゴルフクラブヘッド、を提供する。
【発明の効果】
【０００７】
本発明は上記の課題を解決するものであり、中空状のクラブヘッドの一部に収容部が形成されると共に、収容部にカバーが溶接され、該収容部に緩衝材が充填することにより、撃球時の振動を吸収できると共に、響きを発生することも達成でき、又、本発明の防振構造を有するゴルフクラブヘッドは構造が簡単であるので、製造工程とコストを下げることができる。
【発明を実施するための最良の形態】
【０００８】
以下、添付図面を参照して本発明の好適な実施の形態を詳細に説明する。尚、下記実施例は、本発明の好適な実施の形態を示したものにすぎず、本発明の技術的範囲は、下記実施例そのものに何ら限定されるものではない。 
図１は本発明に係る防振構造を有するゴルフクラブヘッドの第一実施例を示す分解斜視図であり、図２は本発明に係る防振構造を有するゴルフクラブヘッドの第一実施例を示す分解断面図であり、図３は本発明に係る防振構造を有するゴルフクラブヘッドの第一実施例に緩衝材を充填する状態を示す断面図であり、図４は本発明に係る防振構造を有するゴルフクラブヘッドの第一実施例を示す側面断面図であり、図５は本発明に係る防振構造を有するゴルフクラブヘッドの第一実施例を示す正面断面図であり、図６は本発明に係る防振構造を有するゴルフクラブヘッドの第二実施例を示す分解斜視図であり、図７は本発明に係る防振構造を有するゴルフクラブヘッドの第二実施例を示す分解断面図であり、図８は本発明に係る防振構造を有するゴルフクラブヘッドの第二実施例に緩衝材を充填する状態を示す断面図であり、図９は本発明に係る防振構造を有するゴルフクラブヘッドの第一実施例を示す側面断面図である。
【０００９】
図１及び図２に示すように、本発明に係る防振構造を有するゴルフクラブヘッド（１０）は中空のクラブヘッド（１０）の下部に後側まで伸びる通気孔（１２１）を有する収容部（１２）が形成されると共に、該収容部（１２）にカバー（１１）が溶接され、クラブヘッド（１０）の後部に該収容部（１２）と連通する充填孔（１４１）を有する突出部（１４）が設けられる。
【００１０】
図３乃至図５に示すように、好適な重量と体積を有する緩衝材（１５）が突出部（１４）の充填孔（１４１）を通じて収容部（１２）に充填され、充填時、収容部（１２）の内部における空気が通気孔（１２１）から排出され、充填後、封止部材（１４２）を充填孔（１４１）に接着することによって充填孔（１４１）を封止させ、又、封止時の残留空気又は使用しすぎる接着剤が封止部材（１４２）の通気孔（１４２１）によって外部へ排出され、接着剤を凝固した後、余計な突出部（１４）を削除させることにより、撃球時の響きを発生すると共に、振動を吸収することができるクラブヘッド（１０）とする。
【００１１】
又、前記収容部（１２）、突出部（１４）、充填孔（１４１）とカバー（１１）が使用需要に応じてクラブヘッド（１０）の異なる位置に設置されても良い。
【００１２】
又、図６及び図７に示すように、本発明に係る防振構造を有するゴルフクラブヘッド（１０）の第二実施例はクラブヘッド（１０）の後側に通気孔（２２１）を有する収容部（２２）が形成されると共に、該収容部（２２）にカバー（２１）が溶接され、収容部（２２）の上方におけるクラブヘッド（１０）の後側に該収容部（２２）と連通する充填孔（２４１）を有する突出部（２４）が設けられる。
【００１３】
図８及び図９に示すように、好適な重量と体積を有する緩衝材（１５）が突出部（２４）の充填孔（２４１）を通じて収容部（２２）に充填され、充填時、収容部（２２）の内部における空気が通気孔（２２１）から排出され、充填後、封止部材（２４２）を充填孔（２４１）に接着することによって充填孔（２４１）を封止させ、又、封止時の残留空気又は使用しすぎる接着剤が封止部材（２４２）の通気孔（２４２１）によって外部へ排出され、接着剤を凝固した後、余計な突出部（２４）を削除させることにより、撃球時の響きを発生すると共に、振動を吸収することができるクラブヘッド（１０）とする。
【００１４】
又、前記収容部（２２）、突出部（２４）、充填孔（２４１）とカバー（２１）が使用需要に応じてクラブヘッド（１０）の異なる位置に設置されても良い。
【産業上の利用可能性】
【００１５】
本発明は上記の構成を有するので、中空状のクラブヘッドの一部に収容部が形成されると共に、収容部にカバーが溶接され、該収容部に緩衝材が充填することにより、撃球時の振動を吸収できると共に、響きを発生することも達成でき、又、本発明の防振構造を有するゴルフクラブヘッドは構造が簡単であるので、製造工程とコストを下げることができる。
【図面の簡単な説明】
【００１６】
【図１】本発明に係る防振構造を有するゴルフクラブヘッドの第一実施例を示す分解斜視図である。
【図２】本発明に係る防振構造を有するゴルフクラブヘッドの第一実施例を示す分解断面図である。
【図３】本発明に係る防振構造を有するゴルフクラブヘッドの第一実施例に緩衝材を充填する状態を示す断面図である。
【図４】本発明に係る防振構造を有するゴルフクラブヘッドの第一実施例を示す側面断面図である。
【図５】本発明に係る防振構造を有するゴルフクラブヘッドの第一実施例を示す正面断面図である。
【図６】本発明に係る防振構造を有するゴルフクラブヘッドの第二実施例を示す分解斜視図である。
【図７】本発明に係る防振構造を有するゴルフクラブヘッドの第二実施例を示す分解断面図である。
【図８】本発明に係る防振構造を有するゴルフクラブヘッドの第二実施例に緩衝材を充填する状態を示す断面図である。
【図９】本発明に係る防振構造を有するゴルフクラブヘッドの第一実施例を示す側面断面図である。
【符号の説明】
【００１７】
１０        クラブヘッド
１１        カバー
１２        収容部
１２１      通気孔
１４        突出部
１４１      充填孔
１４２      封止部材
１４２１    通気孔
１５        緩衝材
２１        カバー
２２        収容部
２２１      通気孔
２４        突出部
２４１      充填孔
２４２      封止部材
２４２１    通気孔
【図１】
2005118363.tif 000003
【図２】
2005118363.tif 000004
【図３】
2005118363.tif 000005
【図４】
2005118363.tif 000006
【図５】
2005118363.tif 000007
【図６】
2005118363.tif 000008
【図７】
2005118363.tif 000009
【図８】
2005118363.tif 000010
【図９】
2005118363.tif 000011